(57)【特許請求の範囲】
【請求項１】
三相交流の電力系統に連系される自励式無効電力制御装置であって、
前記電力系統の各相に接続され、単相フルブリッジインバータとコンデンサとを有する複数のモジュールを直列接続し、前記複数のモジュールのコンデンサ電圧指令値が異なるカスケード電力変換器と、
前記カスケード電力変換器から前記電力系統へ出力される無効電力を制御する制御部と、を備え、
前記制御部は、前記複数のモジュールのうち最も低電圧のモジュールである低圧モジュールによって出力電圧波形の概形を成形し、
前記電力系統が電圧低下して、前記低圧モジュールのコンデンサ電圧検出値が移動開始電圧値未満となったときに、前記複数のモジュールのうち前記低圧モジュール以外のモジュールの少なくとも１個に蓄えられたエネルギーを前記低圧モジュールに移動させて前記低圧モジュールのコンデンサ電圧検出値を動作保持電圧値以上に保持する
自励式無効電力制御装置。
【請求項２】
前記制御部は、前記複数のモジュールのうち前記低圧モジュールのコンデンサ電圧指令値に最も近いコンデンサ電圧指令値、且つ前記低圧モジュールのコンデンサ電圧指令値よりも高いコンデンサ電圧指令値のモジュールから順に当該モジュールに蓄えられたエネルギーを前記低圧モジュールに移動させ、前記低圧モジュールのコンデンサ電圧検出値を前記動作保持電圧値以上に保持する
請求項１に記載の自励式無効電力制御装置。
【請求項３】
前記複数のモジュールは、前記低圧モジュールと、コンデンサ電圧指令値が前記低圧モジュールよりも高い中圧モジュールと、コンデンサ電圧指令値が前記中圧モジュールよりも高い高圧モジュールと、を備え、
前記中圧モジュールから低圧モジュールにエネルギーを移動させる移動開始電圧値を第１移動開始電圧値とし、
前記低圧モジュールの前記動作保持電圧値を第１動作保持電圧値として、
前記制御部は、前記中圧モジュールから前記低圧モジュールにエネルギーを移動させたことで前記中圧モジュールのコンデンサ電圧検出値が第２移動開始電圧値未満となったときには、前記高圧モジュールに蓄えられたエネルギーを前記低圧モジュール及び前記中圧モジュールに移動させて、前記低圧モジュールのコンデンサ電圧検出値を前記第１動作保持電圧値以上に保持するとともに、前記中圧モジュールのコンデンサ電圧検出値を第２動作保持電圧値以上に保持する
請求項１又は２に記載の自励式無効電力制御装置。
【請求項４】
前記複数のモジュールは、前記低圧モジュールと、コンデンサ電圧指令値が前記低圧モジュールよりも高い中圧モジュールと、コンデンサ電圧指令値が前記中圧モジュールよりも高い高圧モジュールと、を備え、
前記中圧モジュールから低圧モジュールにエネルギーを移動させる移動開始電圧値を第１移動開始電圧値とし、
前記低圧モジュールの前記動作保持電圧値を第１動作保持電圧値として、
前記制御部は、前記中圧モジュールから前記低圧モジュールにエネルギーを移動させたことで前記中圧モジュールのコンデンサ電圧検出値が第２移動開始電圧値未満となったときには、前記高圧モジュールに蓄えられたエネルギーを前記中圧モジュールに移動させて前記中圧モジュールのコンデンサ電圧検出値を第２動作保持電圧値以上に保持する
請求項１又は２に記載の自励式無効電力制御装置。
【請求項５】
前記制御部は、前記高圧モジュールに蓄えられているエネルギーを前記中圧モジュール及び前記低圧モジュールの少なくとも一方に移動させるときには、前記中圧モジュールにエネルギーを蓄えないで前記低圧モジュールに移動させる
請求項３又は４に記載の自励式無効電力制御装置。
【発明の詳細な説明】
【技術分野】
【０００１】
本発明は、自励式無効電力制御装置に関する。
【背景技術】
【０００２】
電力系統の電圧が適正範囲となるように制御する自励式無効電力制御装置が提案されている。例えば、無効電力制御装置としては、ＳＴＡＴＣＯＭ（Ｓｔａｔｉｃ  Ｓｙｎｃｈｒｏｎｏｕｓ  Ｃｏｍｐｅｎｓａｔｏｒ）、ＳＶＧ（Ｓｔａｔｉｃ  Ｖａｒ  Ｇｅｎｅｒａｔｏｒ）あるいは自励式ＳＶＣ（Ｓｔａｔｉｃ  Ｖａｒ  Ｃｏｍｐｅｎｓａｔｏｒ）等がある。自励式無効電力制御装置は、電力系統の無効電力を制御することによって電力系統の安定度を向上させるために導入されることが多い。
【０００３】
また、自励式無効電力制御装置は、定常運転時の電力系統の安定度を向上させる場合に限らず、電力系統の事故中及び事故除去後といった電力系統の過渡的な安定度の向上にも有効である。
【０００４】
自励式無効電力制御装置は、交流電圧を平滑化するための平滑用コンデンサと、この平滑用コンデンサによって平滑化された電圧を用いて電力系統へ無効電流を出力する自励式変換器（インバータ）とを備えている（例えば、特許文献１参照）。
【０００５】
自励式無効電力制御装置では、電力系統において瞬低と言われる０．０７〜０．２秒程度の瞬間的な電圧低下が検出された場合、系統故障と判断して緊急停止するとともに、電力系統から解列する。
【０００６】
このため、電力系統が停電から復帰し、自励式無効電力制御装置が運転を再開するまでに数分の時間を費やしてしまう。この課題を解決するために、平滑用コンデンサの放電を行うための２個の放電器を備えた自励式無効電力制御装置がある（例えば、特許文献２参照）。
【先行技術文献】
【特許文献】
【０００７】
【特許文献１】特開平６−２３３５４４号公報
【特許文献２】特開２０１３−２４３９３４号公報
【発明の概要】
【発明が解決しようとする課題】
【０００８】
ところで、電力系統に接続される電力系統の安定度を向上させるための装置については、系統連系規程により定められている電力系統の電圧低下耐量を規定する要件として、ＦＲＴ（Ｆａｕｌｔ−Ｒｉｄｅ−Ｔｈｒｏｕｇｈ）要件が規定されている。
【０００９】
このＦＲＴ要件には、電力系統の電圧が残電圧２０％以上かつ持続時間０．３秒以内の時に、電力系統の電圧の復帰後０．１秒以内に電圧低下前の８０％以上に装置の出力を復帰させること、また電力系統の電圧が残電圧２０％未満かつ持続時間０．３秒以内の時に、電力系統の電圧の復帰後１秒以内に電圧低下前の８０％以上に装置の出力を復帰させること、が運転継続のために規定されている。
【００１０】
しかしながら、特許文献１の自励式無効電力制御装置では、ＦＲＴ要件を満たす出力復帰を行うことができず、運転継続ができない。また、特許文献２の自励式無効電力制御装置では、制御装置の運転を停止させて、放電器を備えることで早期に運転再開を行うので、運転継続ができない。
【００１１】
本発明は、こうした実情に鑑みてなされたものであり、その目的は、運転を継続することで無効電流の出力を継続して行うことができるとともに、ＦＲＴ要件を満たして出力を回復することのできる自励式無効電力補償装置を提供することにある。
【課題を解決するための手段】
【００１２】
以下、上記課題を解決するための手段及びその作用効果について説明する。
上記課題を解決する自励式無効電力制御装置は、三相交流の電力系統に連系される自励式無効電力制御装置であって、前記電力系統の各相に接続され、単相フルブリッジインバータとコンデンサとを有する複数のモジュールを直列接続し、前記複数のモジュールのコンデンサ電圧指令値が異なるカスケード電力変換器と、前記カスケード電力変換器から前記電力系統へ出力される無効電力を制御する制御部と、を備え、前記制御部は、前記複数のモジュールのうち最も低電圧のモジュールである低圧モジュールによって出力電圧波形の概形を成形し、前記電力系統が電圧低下して、前記低圧モジュールのコンデンサ電圧検出値が移動開始電圧値未満となったときに、前記複数のモジュールのうち前記低圧モジュール以外のモジュールの少なくとも１個に蓄えられたエネルギーを前記低圧モジュールに移動させて前記低圧モジュールのコンデンサ電圧検出値を動作保持電圧値以上に保持することをその要旨としている。
【００１３】
上記構成によれば、電力系統が電圧低下したときに、出力電圧波形の概形を成形する低圧モジュールのコンデンサ電圧検出値が低下して移動開始電圧値未満となると他のモジュールからエネルギーを移動させることで、無効電流を出力することができる最小の電圧値である動作保持電圧値以上に保持する。なお、移動開始電圧値は動作保持電圧値よりも大きい。このため、電力系統に対して無効電流の出力を継続して行うことができるとともに、ＦＲＴ要件を満たして出力を回復することができる。
【００１４】
上記自励式無効電力制御装置について、前記制御部は、前記複数のモジュールのうち前記低圧モジュールのコンデンサ電圧指令値に最も近いコンデンサ電圧指令値、且つ前記低圧モジュールのコンデンサ電圧指令値よりも高いコンデンサ電圧指令値のモジュールから順に当該モジュールに蓄えられたエネルギーを前記低圧モジュールに移動させ、前記低圧モジュールのコンデンサ電圧検出値を前記動作保持電圧値以上に保持することが好ましい。
【００１５】
上記構成によれば、低圧モジュールは出力電圧波形の概形を成形するためにスイッチングに伴う電力消費が大きいので、低圧モジュールのコンデンサ電圧指令値に最も近いコンデンサ電圧指令値、且つ低圧モジュールのコンデンサ電圧指令値よりも高いコンデンサ電圧指令値のモジュールから順に低圧モジュールにエネルギーを移動させる。このため、電圧低下中に電力系統の電圧が高電圧となる現象を最小限にしつつ、低圧モジュールのコンデンサ電圧検出値を動作保持電圧値以上に継続して保持することができる。
【００１６】
上記自励式無効電力制御装置について、前記複数のモジュールは、前記低圧モジュールと、コンデンサ電圧指令値が前記低圧モジュールよりも高い中圧モジュールと、コンデンサ電圧指令値が前記中圧モジュールよりも高い高圧モジュールと、を備え、前記中圧モジュールから低圧モジュールにエネルギーを移動させる移動開始電圧値を第１移動開始電圧値とし、前記低圧モジュールの前記動作保持電圧値を第１動作保持電圧値として、前記制御部は、前記中圧モジュールから前記低圧モジュールにエネルギーを移動させたことで前記中圧モジュールのコンデンサ電圧検出値が第２移動開始電圧値未満となったときには、前記高圧モジュールに蓄えられたエネルギーを前記低圧モジュール及び前記中圧モジュールに移動させて、前記低圧モジュールのコンデンサ電圧検出値を前記第１動作保持電圧値以上に保持するとともに、前記中圧モジュールのコンデンサ電圧検出値を第２動作保持電圧値以上に保持することが好ましい。
【００１７】
上記構成によれば、中圧モジュールのコンデンサ電圧検出値が低下して第２移動開始電圧値未満となったときに、高圧モジュールのエネルギーを低圧モジュール及び中圧モジュールに移動させて低圧モジュールのコンデンサ電圧検出値が無効電流を出力することができる最小の電圧値である第１動作保持電圧値以上に保持されるとともに、中圧モジュールのコンデンサ電圧検出値が第２動作保持電圧値以上に保持される。このため、電力系統が電圧低下したときに、無効電力を制御するためのエネルギーが不足することを更に抑制することができる。
【００１８】
上記自励式無効電力制御装置について、前記複数のモジュールは、前記低圧モジュールと、コンデンサ電圧指令値が前記低圧モジュールよりも高い中圧モジュールと、コンデンサ電圧指令値が前記中圧モジュールよりも高い高圧モジュールと、を備え、前記中圧モジュールから低圧モジュールにエネルギーを移動させる移動開始電圧値を第１移動開始電圧値とし、前記低圧モジュールの前記動作保持電圧値を第１動作保持電圧値として、前記制御部は、前記中圧モジュールから前記低圧モジュールにエネルギーを移動させたことで前記中圧モジュールのコンデンサ電圧検出値が第２移動開始電圧値未満となったときには、前記高圧モジュールに蓄えられたエネルギーを前記中圧モジュールに移動させて前記中圧モジュールのコンデンサ電圧検出値を第２動作保持電圧値以上に保持することが好ましい。
【００１９】
上記構成によれば、低圧モジュールのコンデンサ電圧検出値が無効電流を出力することができる最小の電圧値である第１動作保持電圧値以上に保持されるとともに、中圧モジュールのコンデンサ電圧検出値が無効電流を出力することができる最小の電圧値である第２動作保持電圧値以上に保持されるので、電力系統が電圧低下したときに、無効電力を制御するためのエネルギーが不足することを極力抑制することができる。
【００２０】
上記自励式無効電力制御装置について、前記制御部は、前記高圧モジュールに蓄えられているエネルギーを前記中圧モジュール及び前記低圧モジュールの少なくとも一方に移動させるときには、前記中圧モジュールにエネルギーを蓄えないで前記低圧モジュールに移動させることが好ましい。
【００２１】
上記構成によれば、高圧モジュールのエネルギーを低圧モジュールに移動させるときに中圧モジュールに蓄えないので、高圧モジュールのエネルギーを低圧モジュールに瞬時に移動することができる。よって、低圧モジュールのコンデンサ電圧を第２動作保持電圧値以上に安定して保持することができる。
【発明の効果】
【００２２】
本発明によれば、運転を継続することで無効電流の出力を継続して行うことができるとともに、ＦＲＴ要件を満たして出力を回復することができる。
【図面の簡単な説明】
【００２３】
【図１】（ａ）は自励式無効電力制御装置の一実施形態の概略構成を示す回路図、（ｂ）は自励式無効電力制御装置の単相電力変換器の構成を示す回路図。
【図２】自励式無効電力制御装置の制御に係る概略構成を示すブロック図。
【図３】（ａ）は自励式無効電力制御装置の低圧モジュールの出力電圧を示す図、（ｂ）は自励式無効電力制御装置の中圧モジュールの出力電圧を示す図、（ｃ）は自励式無効電力制御装置の高圧モジュールの出力電圧を示す図、（ｄ）は自励式無効電力制御装置のモジュール出力相電圧を示す図。
【図４】（ａ）は比較例である同電圧カスケード電力変換器を有する自励式無効電力制御装置の低圧モジュールの出力電圧を示す図、（ｂ）は比較例の自励式無効電力制御装置の中圧モジュールの出力電圧を示す図、（ｃ）は比較例の自励式無効電力制御装置の高圧モジュールの出力電圧を示す図、（ｄ）は比較例の自励式無効電力制御装置のモジュール出力相電圧を示す図。
【図５】（ａ）は自励式無効電力制御装置の制御のモードにおけるモジュール出力相電圧指令値を示す図、（ｂ）は自励式無効電力制御装置の制御のモードにおける相電流を示す図、（ｃ）は自励式無効電力制御装置の制御のモードにおける低圧モジュールのコンデンサ電圧検出値を示す図、（ｄ）は自励式無効電力制御装置の制御のモードにおける低圧モジュールの出力電圧を示す図、（ｅ）は自励式無効電力制御装置の制御のモードにおける低圧モジュールの出力瞬時電力を示す図、（ｆ）は自励式無効電力制御装置の制御のモードにおける中圧モジュールのコンデンサ電圧検出値を示す図、（ｇ）は自励式無効電力制御装置の制御のモードにおける中圧モジュールの出力電圧を示す図、（ｈ）は自励式無効電力制御装置の制御のモードにおける中圧モジュールの出力瞬時電力を示す図、（ｉ）は自励式無効電力制御装置の制御のモードにおける高圧モジュールのコンデンサ電圧検出値を示す図、（ｊ）は自励式無効電力制御装置の制御のモードにおける高圧モジュールの出力電圧を示す図、（ｋ）は自励式無効電力制御装置の制御のモードにおける高圧モジュールの出力瞬時電力を示す図。
【図６】自励式無効電力制御装置の実験における概略構成を示す図。
【図７】（ａ）は自励式無効電力制御装置の実験において三相瞬低のときの電源相電圧を示す図、（ｂ）は自励式無効電力制御装置の実験において三相瞬低のときの相電流を示す図、（ｃ）は自励式無効電力制御装置の実験において三相瞬低のときのｑ軸電流の指令値と検出値を示す図、（ｄ）は自励式無効電力制御装置の実験において三相瞬低のときの低圧モジュールのコンデンサ電圧検出値を示す図、（ｅ）は自励式無効電力制御装置の実験において三相瞬低のときの中圧モジュールのコンデンサ電圧検出値を示す図、（ｆ）は自励式無効電力制御装置の実験において三相瞬低のときの高圧モジューのコンデンサ電圧検出値を示す図。
【図８】（ａ）は自励式無効電力制御装置の実験において二相瞬低のときの電源相電圧を示す図、（ｂ）は自励式無効電力制御装置の実験において二相瞬低のときの相電流を示す図、（ｃ）は自励式無効電力制御装置の実験において二相瞬低のときのｑ軸電流の指令値と検出値を示す図、（ｄ）は自励式無効電力制御装置の実験において二相瞬低のときの低圧モジュールのコンデンサ電圧検出値を示す図、（ｅ）は自励式無効電力制御装置の実験において二相瞬低のときの中圧モジュールのコンデンサ電圧検出値を示す図、（ｆ）は自励式無効電力制御装置の実験において二相瞬低のときの高圧モジューのコンデンサ電圧検出値を示す図。
【図９】（ａ）は自励式無効電力制御装置の実験において単相瞬低のときの電源相電圧を示す図、（ｂ）は自励式無効電力制御装置の実験において単相瞬低のときの相電流を示す図、（ｃ）は自励式無効電力制御装置の実験において単相瞬低のときのｑ軸電流の指令値と検出値を示す図、（ｄ）は自励式無効電力制御装置の実験において単相瞬低のときの低圧モジュールのコンデンサ電圧検出値を示す図、（ｅ）は自励式無効電力制御装置の実験において単相瞬低のときの中圧モジュールのコンデンサ電圧検出値を示す図、（ｆ）は自励式無効電力制御装置の実験において単相瞬低のときの高圧モジューのコンデンサ電圧検出値を示す図。
【発明を実施するための形態】
【００２４】
以下、図１〜図９を参照して、自励式無効電力制御装置の一実施形態について説明する。本実施形態の自励式無効電力制御装置は、単相電力変換器のモジュールを３段カスケード接続したカスケード電力変換器を備えている。
【００２５】
［カスケード電力変換器の構成］
図１（ａ）に示されるように、カスケード電力変換器は、三相交流電源（電源相電圧ｅｕ，ｅｖ，ｅｗ）に、入力リアクトルＬｆを介して３直列のモジュール（単相電力変換器）をスター結線している。
【００２６】
図１（ｂ）に示されるように、カスケード電力変換器の各モジュールは、直流コンデンサと４個の絶縁ゲートバイポーラトランジスタ（ＩＧＢＴ：Ｉｎｓｕｌａｔｅｄ  Ｇａｔｅ  Ｂｉｐｏｌａｒ  Ｔｒａｎｓｉｓｔｏｒ）をＨブリッジ接続して構成されている。各モジュールのコンデンサ電圧検出値ｖｃｊｋとモジュール出力電圧ｖｍｊｋとは、相（ｊ＝ｕ，ｖ，ｗ）とモジュールの電圧の低・中・高（ｋ＝Ｌ，Ｍ，Ｈ）との添字をつけて区別している。例えば、ｕ相の低圧モジュールについては、コンデンサ電圧検出値ｖｃｕＬとモジュール出力電圧ｖｍｕＬと表現している。
【００２７】
図１（ａ）に示されるように、モジュール部分は、コンデンサ電圧ｖｃを制御により一定に保つ。また、ｕ相の直列モジュールの出力電圧をモジュール出力相電圧ｖａｕと表す。モジュール出力相電圧ｖａｕは、ｕ相の各モジュール出力電圧ｖｍｕＬ，ｖｍｕＭ，ｖｍｕＨの和として次式で（１）で与えられる。
【００２８】
【数１】
0006684440.tif 000002
【００２９】
低圧・中圧・高圧モジュールのコンデンサ電圧の比を１：２：６として制御を行うため、コンデンサ電圧指令値はそれぞれ１Ｖｄｃ，２Ｖｄｃ，６Ｖｄｃとする。
続いて、上記のように異なる電圧のモジュールをカスケード接続した異電圧カスケード電力変換器を有する自励式無効電力制御装置の動作について説明する。
【００３０】
図２に示すように、自励式無効電力制御装置は、制御を行う制御部１０を備えている。制御部１０には、電力系統の各相の電圧を検出する電圧計１１と、無効電力制御装置の各相の電流を検出する電流計１２とが接続され、電力系統の各相の電圧と無効電力制御装置の各相の電流とが入力される。また、制御部１０は、各相に接続されるカスケード電力変換器の各モジュール２１，２２，２３と接続され、各モジュール２１，２２，２３をスイッチング制御することで無効電流を出力する。なお、電圧計１１、電流計１２、各モジュール２１，２２，２３は、電力系統の１相について図示しており、本来は電力系統の各相についてそれぞれ備えられている。
【００３１】
そして、図３に示すように、制御部１０は、モジュール出力相電圧ｖａｕを出力する際には、各モジュール２１，２２，２３をスイッチング制御する。すなわち、制御部１０は、低圧モジュール２１によって出力電圧波形の概形を形成するので、低圧モジュール２１をＰＷＭ制御によって細かくスイッチング制御する。また、制御部１０は、ここでは中圧モジュール２２を１周期に正負各５パルスとなるスイッチング制御を行う。さらに、制御部１０は、ここでは高圧モジュール２３を１周期に正負各１パルスとなるスイッチング制御を行う。その結果、モジュール出力相電圧ｖａｕは、出力電圧レベルが１９レベルとなり、高調波を少なくすることができる。
【００３２】
なお比較のために、同電圧のモジュール３個をカスケード接続した同電圧カスケード電力変換器を有する自励式無効電力制御装置は、以下のようになる。
制御部は、各モジュールをＰＷＭ制御によってスイッチング制御する。各モジュールから出力されるエネルギーの最大値は各モジュールともに同じとなる。モジュール出力相電圧ｖａｕは、出力電圧レベルが７レベルとなり、高調波を多く含む。
【００３３】
このように、異電圧カスケード電力変換器と同電圧カスケード電力変換器とを比較すると、異電圧カスケード電力変換器はモジュール出力相電圧ｖａｕの高調波を同電圧カスケード電力変換器よりも低減することができる。このため、異電圧カスケード電力変換器は、電圧カスケード電力変換器よりも入力リアクトルの小型化が可能である。
【００３４】
［ＦＲＴ要件］
ここで、ＦＲＴ（Ｆａｕｌｔ−Ｒｉｄｅ−Ｔｈｒｏｕｇｈ）要件について説明する。
ＦＲＴ要件は、電力系統の１事故に対しても自励式無効電力制御装置を解列させることなく運転状態を維持する要件である。
【００３５】
表１に系統連系規程により定められている電力系統におけるＦＲＴ要件を示す。以下では、ｗ相の電圧が０Ｖに下がる単相瞬低と、ｖ，ｗ相の電圧が０Ｖに下がる二相瞬低と、すべての相の電圧が０Ｖに下がる三相瞬低とのそれぞれのＦＲＴについて記載する。ここでは、瞬低の継続時間は０．１秒とする。なお、電圧を０Ｖに下げることは、残電圧２０％未満の系統状態を想定するとともに、電力系統における停電に相当するものである。
【００３６】
単相瞬低の場合は残電圧２０％以上であるため、表１の状態Ａによるとゲートブロックせず運転継続を行い電圧の復帰後０．１秒以内に電圧低下前の８０％以上の出力に復帰すればよい。なお、ゲートブロックとは、カスケード電力変換器の各モジュールに使用する絶縁ゲートバイポーラトランジスタ（ＩＧＢＴ）のドライバに対し，主回路のパワースイッチング素子をオフにして動作を止めることであり、これにより自励式無効電力制御装置の運転は停止される。
【００３７】
二相瞬低及び三相瞬低の場合は残電圧０％であるため、表１の状態Ｂによるとゲートブロックまたは運転継続を行い電圧の復帰後１秒以内に電圧低下前の８０％以上の出力に復帰すればよい。
【００３８】
【表１】
0006684440.tif 000003
【００３９】
［モジュールの制御］
図５に示すように、制御部１０は、各モジュール２１，２２，２３の状態に応じて、「モード０、モード１、モード２」の制御を行う。以下、Ｕ相について制御の説明を行うもとし、Ｖ相、Ｗ相も同様の制御を行うものである。
【００４０】
まず、電力系統に瞬間的な電圧低下が発生したときには、制御部１０は、低圧モジュール２１のコンデンサ電圧検出値ｖｃｕＬが第１移動開始電圧値以上であるときには、低圧モジュール２１のエネルギーのみを利用して電力系統に無効電流を出力する「モード０」の制御を行う。なお、エネルギーとは、各モジュールのコンデンサ電圧Ｖ（Ｖ）とコンデンサ容量Ｃ（Ｆ）とより公式（１／２）ＣＶ２で算出されるＷ（Ｊ）のことである。
【００４１】
また、制御部１０は、低圧モジュール２１のコンデンサ電圧検出値ｖｃｕＬが第１移動開始電圧値未満であるときには、中圧モジュール２２のエネルギーを低圧モジュール２１に移動させ、第１動作保持電圧値未満にならないようにする「モード１」の制御を行う。
【００４２】
また、制御部１０は、中圧モジュール２２のコンデンサ電圧検出値ｖｃｕＭが第２移動開始電圧値未満であるときには、高圧モジュール２３のエネルギーを低圧モジュール２１及び中圧モジュール２２に移動させ、低圧モジュール２１が第１動作保持電圧値未満および中圧モジュール２２が第２動作保持電圧値未満にならないようにする「モード２」の制御を行う。
【００４３】
すなわち、制御部１０は、三相瞬低時には、高圧モジュール２３に蓄えられているエネルギーを中圧モジュール２２及び低圧モジュール２１に移動させることで、低圧モジュール２１のコンデンサ電圧検出値ｖｃｕＬが第１動作保持電圧値未満にならないようにすると同時に、中圧モジュール２２が第２動作保持電圧値未満にならないようにする。この高圧モジュール２３に蓄えられているエネルギーを中圧モジュール２２及び低圧モジュール２１に同時に移動させる時、中圧モジュール２２には、エネルギーを蓄えるようにする。
【００４４】
また、制御部１０は、単相瞬低及び二相瞬低時においても、電圧が下がった相に対して高圧モジュール２３に蓄えられているエネルギーを中圧モジュール２２及び低圧モジュール２１に移動させることで、低圧モジュール２１のコンデンサ電圧検出値ｖｃｕＬが第１動作保持電圧値未満にならないようにすると同時に、中圧モジュール２２が第２動作保持電圧値未満にならないようにする。
【００４５】
つまり、モード１，２ともに言い換えれば、低圧モジュール２１のコンデンサ電圧検出値ｖｃｕＬが第１動作保持電圧値以上に保持するようにするものである。
ここで移動開始電圧値及び動作保持電圧値について説明する。「モード０」「モード１」「モード２」において低圧モジュール２１のコンデンサ電圧検出値で設定する第１動作保持電圧値は、低圧モジュール２１が無効電流の出力を継続してできる最小の電圧値である。詳述すると、通常動作時は、低圧モジュール２１は電力系統からエネルギーを受け取れるため、無効電流の出力を継続して行い、電力系統の電圧値を安定的に保つように制御している。
【００４６】
しかしながら、瞬間的な電圧低下が発生したときには、電力系統から低圧モジュール２１はエネルギーを受け取れないものの、低圧モジュール２１は無効電流の出力を継続して行っている。そうすると、低圧モジュール２１の出力電圧波形の概形を成形するためのスイッチングに伴う電力消費が大きいため、低圧モジュール２１のコンデンサ容量の低下と共に、コンデンサ電圧検出値が徐々に低下して、最後には無効電流の出力が継続できなくなってしまう。このため、無効電流の出力を継続してできる低圧モジュール２１のコンデンサ電圧検出値を移動開始電圧値として設定するものである。
【００４７】
そして、低圧モジュール２１のコンデンサ電圧検出値で設定する第１移動開始電圧値は、中圧モジュール２２のエネルギーを低圧モジュール２１に移動する動作を開始する電圧値であり、第１動作保持電圧値よりも例えば１０％〜２０％高い電圧値を設定するものである。この第１動作保持電圧値により、あらかじめ中圧モジュール２２のエネルギーを低圧モジュール２１に移動させるので、第１動作保持電圧値未満になるのを遅延させることができる。
【００４８】
また、「モード２」において中圧モジュール２２のコンデンサ電圧検出値で設定する第２動作保持電圧値は、中圧モジュール２２から低圧モジュール２１にエネルギーを移動させることができ、かつ電力系統の電圧が復帰後、中圧モジュール２２が動作可能となる最小の電圧値である。
【００４９】
そして、中圧モジュール２２のコンデンサ電圧検出値で設定する第２移動開始電圧値は、高圧モジュール２３のエネルギーを中圧モジュール２２及び低圧モジュール２１に移動する動作を開始する電圧値であり、第２動作保持電圧値よりも例えば１０％〜２０％高い電圧値を設定するものである。この第２移動開始電圧値により、あらかじめ高圧モジュール２３のエネルギーを中圧モジュール２２及び低圧モジュール２１に移動させるので、第２動作保持電圧値未満になるのを遅延させることができる。このため、第１動作保持電圧値未満になるのを遅延させることができる。
【００５０】
なお、高圧モジュール２３のコンデンサ電圧検出値には、第３動作保持電圧値が設定されており、第３動作保持電圧値未満になった場合は、自励式無効電力制御装置は運転を停止する。
【００５１】
［実験］
上述したカスケード電力変換器によるＦＲＴを実験にて確認する。すなわち、カスケード電力変換器によって、無効電力制御を行うことで確認する。
【００５２】
［実験条件］
図６にカスケード電力変換器の実験回路構成を示し、表２に実験条件を示している。入力線間電圧実効値は２００Ｖ、周波数は６０Ｈｚとする。入力リアクトルＬｆの値は３ｍＨとする。高圧モジュールコンデンサの容量は３３００μＦとしている。中圧モジュールコンデンサ及び低圧モジュールコンデンサの容量は１５００μＦとしている。また、高圧モジュールのコンデンサ電圧指令値ｖｃＨ＊は１２０Ｖとしている。中圧モジュールコンデンサのコンデンサ電圧指令値ｖｃＭ＊は４０Ｖとしている。低圧モジュールのコンデンサ電圧指令値ｖｃＬ＊は２４Ｖとしている。
【００５３】
【表２】
0006684440.tif 000004
【００５４】
［実験結果］
（三相瞬低）
図７は、自励式無効電力制御装置の動作時に電源電圧を０．１ｓ間０Ｖに低下させたときの三相瞬低の実験波形である。三相瞬低中はどの相も同じ動作をするため、コンデンサ電圧検出値ｖｃｕＬ〜ｖｃｗＨ以外はｕ相のみを表している。
【００５５】
瞬低発生以前では、電源電圧ｅｕに対して位相がπ／２進んだ無効電流ｉｕが流れている。瞬低発生以降は低圧モジュールのコンデンサ電圧検出値ｖｃｕＬ〜ｖｃｗＬが下がらないように高圧・中圧モジュールからエネルギーを送るスイッチングを行っている。自励式無効電力制御装置の高圧・中圧モジュールは高いコンデンサ電圧指令値の値を持つため、遅いスイッチングが求められている。そのため、高圧・中圧モジュールのスイッチング回数を減らすために、高圧・中圧モジュールからエネルギーを送るスイッチングのＯＮ期間を６００μｓ（６制御周期）に制御している。
【００５６】
また、瞬低発生中は電源電圧が全て０Ｖであり、電源からエネルギーを得ることはできないため、ｄ軸電流指令値ｉ＊ｄを強制的に０にしている。さらに、瞬低復帰後はコンデンサ電圧検出値ｖｃｕＬ〜ｖｃｗＨが低下しており、それらを急激に復帰させるためにｄ軸電流指令値ｉ＊ｄが大きな値を持ってしまうため、リミッタを４Ａとした。
【００５７】
（二相瞬低）
図８は、自励式無効電力制御装置の動作時にｖ，ｗ相の電源電圧を０．１ｓ間０Ｖに低下させたときの二相瞬低の実験波形である。瞬低発生以前では、電源電圧ｅｕ，ｅｖ，ｅｗに対して位相がπ／２進んだ無効電流ｉｕ，ｉｖ，ｉｗが流れている。
【００５８】
電源電圧ｅｕは下がらないため、ｕ相は通常通りの制御を続けている。電源電圧ｅｖは下がるため、ｖ相は瞬低発生以降に低圧モジュールのコンデンサ電圧検出値ｖｃｖＬが下がらないように高圧・中圧モジュールからエネルギーを送るスイッチング（ＯＮ期間３００μｓ）を行っている。そのため、ｖ相の高圧モジュールのコンデンサ電圧検出値ｖｃｖＨは低下している。電源電圧ｅｗは下がるが、ｗ相の高圧モジュールのコンデンサ電圧検出値ｖｃｗＨは低下していないため、瞬低発生以降に低圧モジュールのコンデンサ電圧検出値ｖｃｗＬが第１動作保持電圧値未満に下がらないように中圧モジュールのみからエネルギーを送るスイッチング（ＯＮ期間３００μｓ）を行っている。なお、瞬低発生中の電流波形は多少歪んでいるが、電源電圧復帰後の電流波形はＦＲＴ要件の通り０．１ｓ以内に復帰できている。
【００５９】
（単相瞬低）
図９は、自励式無効電力制御装置の動作時にｗ相の電源電圧を０．１ｓ間０Ｖに低下させたときの単相瞬低の実験波形である。瞬低発生以前では、電源電圧ｅｕ，ｅｖ，ｅｗに対して位相がπ／２進んだ無効電流ｉｕ，ｉｖ，ｉｗが流れている。
【００６０】
電源電圧ｅｕ，ｅｖは下がらないため、ｕ，ｖ相は通常通りの制御を続けている。電源電圧ｅｗは下がるが、ｗ相は瞬低発生以降に低圧モジュール２１のみで動作を行っている。
【００６１】
この実験において、自励式無効電力制御装置を瞬時に電源電圧が停電状態の０Ｖに低下した際に動作する低圧モジュール２１のコンデンサ電圧検出値が第１動作保持電圧値未満にならないように、第１移動開始電圧値及び第２移動開始電圧値を設け、中圧モジュール２２及び高圧モジュール２３から低圧モジュール２１にエネルギーを送る制御とした。その結果、三相瞬低においては、低圧モジュール２１のコンデンサ電圧検出値が第１動作保持電圧値未満に下がることなくＦＲＴ要件を満たした動作を確認できた。二相瞬低においては、電源電圧値が０Ｖになった相の低圧モジュール２１のコンデンサ電圧検出値が下がらない場合もあったが、低圧モジュール２１コンデンサ電圧検出値が第１動作保持電圧値未満に下がることなくＦＲＴ要件を満たした動作を確認できた。単相瞬低においては、電源電圧値が０Ｖになった相の低圧モジュール２１のコンデンサ電圧が第１動作保持電圧値未満に下がることなくＦＲＴ要件を満たした動作を確認できた。
【００６２】
まとめると、表１に記載のＦＲＴ要件における電力系統の電圧が残電圧２０％未満かつ持続時間０．３秒以内の時に、電力系統の電圧の復帰後１秒以内に電圧低下前の８０％以上に装置の出力を復帰させ、運転継続することが確認できたと言える。これにより、電力系統の電圧が残電圧２０％以上かつ持続時間０．３秒以内の時に、電力系統の電圧の復帰後０．１秒以内に電圧低下前の８０％以上に装置の出力を復帰させ、運転継続することは明らかに実施できるものである。したがって、低圧モジュール２１のコンデンサ電圧検出値が第１動作保持電圧値未満にならない、すなわち第１動作保持電圧値以上に保持するように、中圧モジュール２２及び高圧モジュール２３から低圧モジュール２１にエネルギーを送る制御は、系統連系規程により定められている電力系統におけるＦＲＴ要件を満たすものであると言える。
【００６３】
また他の方法として、低圧モジュールのコンデンサ電圧検出値が第１動作保持電圧値未満にならないようにするためには、低圧モジュールのコンデンサ容量を大きくすることで、コンデンサに蓄えられるエネルギーを増やして瞬低時のコンデンサ電圧検出値の低下を回避することも考えられる。しかしながら、この方法における低圧モジュールのコンデンサの容量値は、低圧モジュールで無効電力制御において設定するコンデンサ容量の約２０倍と、非常に大きなコンデンサ容量値が必要となることが理論上計算される。このため、大型のコンデンサが必要となり、回路構成が大型化、かつ高価となり、ひいては無効電力制御装置が大きくなると共に、装置価格も高くなるという課題がある。
【００６４】
よって、低圧モジュールのコンデンサ電圧検出値が第１動作保持電圧値未満にならないように、中圧モジュール及び高圧モジュールから低圧モジュールにエネルギーを送る制御は、この課題も同時に解決することができる。
【００６５】
本実施形態の自励式無効電力制御装置では、例えば第１動作保持電圧値を５６３Ｖ、第１移動開始電圧値を５１３Ｖ、第２動作保持電圧値を１１２７Ｖ、第２移動開始電圧値を１０２４Ｖ、第３動作保持電圧値を３０７３Ｖの電圧値に設定する。第１移動開始電圧値と第２移動開始電圧値の電圧値は、第１動作保持電圧値と第２動作保持電圧値に対し、各々約１０％高い電圧値に設定している。
【００６６】
以上説明したように、本実施形態によれば、以下の効果を奏することができる。
（１）電力系統が電圧低下したときに、出力電圧波形の概形を成形する低圧モジュール２１のコンデンサ電圧検出値が低下して移動開始電圧値未満となると中圧モジュール２２及び高圧モジュール２３から低圧モジュール２１にエネルギーを移動させることで低圧モジュール２１のコンデンサ電圧検出値が、無効電流を出力することができる最小の電圧値である第１動作保持電圧値未満にならない、すなわち、第１動作保持電圧値以上に保持する。このため、電力系統に対して無効電流の出力を継続して行うことができるとともに、ＦＲＴ要件を満たして出力を回復することができる。
【００６７】
（２）低圧モジュール２１は出力電圧波形の概形を成形するためにスイッチングに伴う電力消費が大きいので、低圧モジュール２１のコンデンサ電圧検出値に最も近いコンデンサ電圧指令値、且つ低圧モジュール２１のコンデンサ電圧検出値よりも高いコンデンサ電圧指令値の中圧モジュール２２、次に高圧モジュール２３の順に低圧モジュール２１にエネルギーを移動させる。このため、電圧低下中に電力系統の電圧が電力系統に接続された分散電源の影響により電力系統の電圧が一時的に高電圧となる現象を最小限にしつつ、低圧モジュール２１のコンデンサ電圧検出値を第１動作保持電圧値以上に継続して保持することができる。
【００６８】
（３）低圧モジュール２１のコンデンサ電圧検出値が第１移動開始電圧値未満となったときに、中圧モジュール２２のエネルギーを低圧モジュール２１に移動させて低圧モジュール２１のコンデンサ電圧検出値が第１動作保持電圧値以上に保持される。このため、電力系統が電圧低下したときに、無効電力を制御するためのエネルギーが不足することを抑制することができるとともに、電力系統の電圧が復帰後に自励式無効電力制御装置が動作可能となる。
【００６９】
（４）中圧モジュール２２のコンデンサ電圧検出値が第２移動開始電圧値未満となったときに、高圧モジュール２３のエネルギーを低圧モジュール２１及び中圧モジュール２２に移動させて低圧モジュール２１のコンデンサ電圧検出値が第１動作保持電圧値以上に保持されるとともに、中圧モジュール２２のコンデンサ電圧検出値が第２動作保持電圧値以上に保持される。このため、電力系統が電圧低下したときに、無効電力を制御するためのエネルギーが不足することを更に抑制することができるとともに、電力系統の電圧が復帰後に自励式無効電力制御装置が動作可能となる。
【００７０】
（５）高圧モジュール２３のエネルギーを低圧モジュール２１及び中圧モジュール２２に移動させるときに、高圧モジュール２３のエネルギーは、中圧モジュール２２を経由して低圧モジュール２１に移動させた。すなわち、中圧モジュール２２のコンデンサ電圧検出値が第２移動開始電圧値未満となったときに、高圧モジュール２３に蓄えられたエネルギーを中圧モジュール２２に移動させ、中圧モジュール２２から低圧モジュール２１に移動させて、低圧モジュール２１のコンデンサ電圧検出値が第１動作保持電圧値以上に保持されるとともに、中圧モジュール２２のコンデンサ電圧検出値が第２動作保持電圧値以上に保持される。このため、電力系統が電圧低下したときに、無効電力を制御するためのエネルギーが不足することを極力抑制することができるとともに、電力系統の電圧が復帰後に自励式無効電力制御装置が動作可能となる。
【００７１】
（６）高圧モジュール２３のコンデンサ電圧検出値が第３動作保持電圧値未満となったときには、低圧モジュール２１のコンデンサ電圧検出値を第１動作保持電圧値以上に保持する事はできなくなるので、自励式無効電力制御装置を安全に停止することができる。
【００７２】
なお、上記実施形態は、これを適宜変更した以下の形態にて実施することもできる。
・上記実施形態では、３直列の低圧・中圧・高圧モジュール（単相電力変換器）をスター結線し、高圧モジュール２３のエネルギーを低圧モジュール２１に移動させるときに、高圧モジュール２３のエネルギーを、中圧モジュール２２と低圧モジュール２１とに同時に移動させるようにした。しかしながら、高圧モジュール２３から低圧モジュール２１にエネルギーを直接移動できるバイパス回路を構成してもよい。このようにすれば、高圧モジュール２３のエネルギーを低圧モジュール２１に直接かつ瞬時に移動させるようにすることができる。これにより、制御回路などにおけるエネルギー損失を一層低減する事ができ、低圧モジュール２１のコンデンサ電圧検出値を第１動作保持電圧値以上に安定して保持することができる。
【００７３】
・上記実施形態では、３直列の各１個の低圧・中圧・高圧モジュール（単相電力変換器）をスター結線した。しかしながら、３直列の各１個の低圧・中圧・高圧モジュール（単相電力変換器）の結線はスター結線に限定されるものではなく、デルタ結線にすることができる。
【００７４】
・上記実施形態では、３直列の各１個の低圧・中圧・高圧モジュール（単相電力変換器）をスター結線した、３段モジュールで構成した。しかしながら、モジュールの構成は３段に限定されるものではなく、モジュールの構成を２段、４段、５段などの複数段であっても応用することができる。例えば、モジュールの構成が２段であれば、低圧モジュール１個と中圧モジュールか高圧モジュールのいずれか一方との組合せが可能である。モジュールの構成が４段であれば、低圧モジュール２個と中圧モジュールか高圧モジュールのいずれか一方が２個との組合せ、低圧モジュール３個と中圧モジュールか高圧モジュールのいずれか一方が１個との組合せ、低圧モジュール１個と中圧モジュール２個（同じ電圧値でも、異なる電圧値でもよい）と高圧モジュール１個との組合せなどの段数に任意に選択可能である。
【００７５】
・上記実施形態では、各モジュール（単相電力変換器）の低圧・中圧・高圧モジュールのコンデンサ電圧の比を１：２：６とした。しかしながら、コンデンサの電圧は、任意の電圧に選択可能である。例えば、コンデンサ電圧の比を１：１．７：６．３、１：２．９：１１．１や１：２．４：５．３などに適宜選択可能である。
【００７６】
・上記実施形態において、各モジュール（単相電力変換器）のコンデンサの容量は、制御したい無効電力の大きさに応じて任意に選択可能であって、中圧モジュールと低圧モジュールとで同一容量のコンデンサを使用しても良く、異なる容量の組み合わせも選択可能である。
【００７７】
・上記実施形態では、低圧モジュール２１のコンデンサ電圧検出値で設定する第１移動開始電圧値を第１動作保持電圧値よりも例えば１０％〜２０％高い電圧値を設定したが、１０％〜２０％高い電圧値は好ましい範囲の設定値であって、１％〜５０％高い電圧値の範囲であればよい。
【００７８】
・上記実施形態では、中圧モジュール２２のコンデンサ電圧検出値で設定する第２移動開始電圧値を第２動作保持電圧値よりも例えば１０％〜２０％高い電圧値を設定した。しかしながら、第２移動開始電圧値を第２動作保持電圧値よりも１０％〜２０％高い電圧値は好ましい範囲の設定値であって、第２移動開始電圧値を第２動作保持電圧値よりも１％〜５０％高い電圧値の範囲であってもよい。
【００７９】
・上記実施形態では、高圧モジュール２３に蓄えられているエネルギーを中圧モジュール２２及び低圧モジュール２１に同時に移動させる時、中圧モジュール２２には、エネルギーを蓄えるようにしたが、中圧モジュール２２に、エネルギーを蓄えないようにしてもよい。このようにすれば、高圧モジュール２３のエネルギーを低圧モジュール２１に瞬時に移動することができる。よって、制御回路などによるエネルギー損失を低減する事ができ、低圧モジュール２１のコンデンサ電圧検出値を第１動作保持電圧値以上に安定して保持することができる。
【００８０】
・上記実施形態では、高圧モジュール２３に蓄えられているエネルギーを中圧モジュール２２及び低圧モジュール２１に同時に移動させるようにしたが、エネルギーを中圧モジュール２２だけに移動させるようにしてもよい。このようにすれば、低圧モジュール２１のコンデンサ電圧検出値が無効電流を出力することができる最小の電圧値である第１動作保持電圧値以上に保持しながら、中圧モジュール２２のコンデンサ電圧検出値が無効電流を出力することができる最小の電圧値である第２動作保持電圧値以上に保持されるので、電力系統が電圧低下したときに、無効電力を制御するためのエネルギーが不足することを極力抑制することができる。
【００８１】
また、このエネルギーを中圧モジュール２２だけに移動させるようにした実施形態では、高圧モジュール２３のエネルギーを中圧モジュール２２に対しエネルギーを蓄えても、蓄えなくてもよい。
【符号の説明】
【００８２】
１０…制御部、１１…電圧計、１２…電流計、２１…低圧モジュール、２２…中圧モジュール、２３…高圧モジュール。
【図１】
0006684440.tif 000005
【図２】
0006684440.tif 000006
【図３】
0006684440.tif 000007
【図４】
0006684440.tif 000008
【図５】
0006684440.tif 000009
【図６】
0006684440.tif 000010
【図７】
0006684440.tif 000011
【図８】
0006684440.tif 000012
【図９】
0006684440.tif 000013